(57)【特許請求の範囲】
【請求項１】
筐体と、
前記筐体の内部に設けられ、貨幣を搬送する搬送部と、
前記筐体の内部に設けられ、前記搬送部から送られた貨幣を金種別に収納する複数の金種別収納庫と、
前記筐体の内部に設けられ、前記搬送部から送られた貨幣を収納するとともに収納された貨幣を前記搬送部に繰り出し可能であり、前記筐体から取り出し自在となっている収納カセットと、
前記搬送部に設けられ、当該搬送部により搬送される貨幣の識別計数を行う識別部と、
前記搬送部および前記収納カセットの制御を行う制御部であって、貨幣の補充処理を行う際に、補充用の貨幣が収納された前記収納カセットが前記筐体内に装填されると、当該収納カセットから貨幣を前記搬送部に繰り出して前記識別部により識別計数を行った後に、この収納カセットから繰り出された貨幣の所有権を補充回収員側から店舗側に変更するよう制御を行う制御部と、
前記筐体の内部に設けられ、前記搬送部に接続され、当該搬送部から送られた貨幣を一時的に保留する一時保留部と、
を備え、
前記制御部は、貨幣の補充処理を行う際に、補充用の貨幣が収納された前記収納カセットが前記筐体内に装填されると、当該収納カセットから貨幣を前記搬送部に繰り出して前記識別部により識別計数を行った後にこの貨幣を前記一時保留部に一時的に保留し、前記収納カセットから前記一時保留部に貨幣が全て搬送されると、当該一時保留部に収納された貨幣の所有権を補充回収員側から店舗側に変更するよう制御を行うことを特徴とする貨幣処理装置。
【請求項２】
前記制御部は、前記収納カセットから前記一時保留部に貨幣が全て搬送された後、前記識別部による貨幣の計数結果の承認がなされると、前記一時保留部に収納された貨幣の所有権を補充回収員側から店舗側に変更するよう制御を行うことを特徴とする請求項１記載の貨幣処理装置。
【請求項３】
筐体と、
前記筐体の内部に設けられ、貨幣を搬送する搬送部と、
前記筐体の内部に設けられ、前記搬送部から送られた貨幣を金種別に収納する複数の金種別収納庫と、
前記筐体の内部に設けられ、前記搬送部から送られた貨幣を収納するとともに収納された貨幣を前記搬送部に繰り出し可能であり、前記筐体から取り出し自在となっている収納カセットと、
前記搬送部に設けられ、当該搬送部により搬送される貨幣の識別計数を行う識別部と、
前記搬送部および前記収納カセットの制御を行う制御部であって、貨幣の補充処理を行う際に、補充用の貨幣が収納された前記収納カセットが前記筐体内に装填されると、当該収納カセットから貨幣を前記搬送部に繰り出して前記識別部により識別計数を行った後に、この収納カセットから繰り出された貨幣の所有権を補充回収員側から店舗側に変更するよう制御を行う制御部と、
を備え、
前記制御部は、前記収納カセットから繰り出された貨幣の所有権が補充回収員側から店舗側に変更されると、当該収納カセットの所有権を補充回収員側から店舗側に変更するよう制御を行うことを特徴とする貨幣処理装置。
【請求項４】
筐体と、
前記筐体の内部に設けられ、貨幣を搬送する搬送部と、
前記筐体の内部に設けられ、前記搬送部から送られた貨幣を金種別に収納する複数の金種別収納庫と、
前記筐体の内部に設けられ、前記搬送部から送られた貨幣を収納するとともに収納された貨幣を前記搬送部に繰り出し可能であり、前記筐体から取り出し自在となっている収納カセットと、
前記搬送部に設けられ、当該搬送部により搬送される貨幣の識別計数を行う識別部と、
前記搬送部および前記収納カセットの制御を行う制御部であって、貨幣の補充処理を行う際に、補充用の貨幣が収納された前記収納カセットが前記筐体内に装填されると、当該収納カセットから貨幣を前記搬送部に繰り出して前記識別部により識別計数を行った後に、この収納カセットから繰り出された貨幣の所有権を補充回収員側から店舗側に変更するよう制御を行う制御部と、
を備え、
前記制御部は、貨幣の回収処理を行う際に、回収されるべき貨幣が収納された前記収納カセットの所有権を店舗側から補充回収員側に変更するよう制御を行うことを特徴とする貨幣処理装置。
【請求項５】
補充用の貨幣が収納された収納カセットを貨幣処理装置の筐体内に装填する工程と、
前記筐体内に装填された前記収納カセットから貨幣を搬送部に繰り出して識別部により識別計数する工程と、
前記搬送部から送られた貨幣を一時保留部で一時的に保留する工程と、
前記収納カセットから前記一時保留部に貨幣が全て搬送されると、当該一時保留部に収納された貨幣の所有権を補充回収員側から店舗側に変更する工程と、
を備えたことを特徴とする貨幣処理方法。
【請求項６】
補充用の貨幣が収納された収納カセットを貨幣処理装置の筐体内に装填する工程と、
前記筐体内に装填された前記収納カセットから貨幣を搬送部に繰り出して識別部により識別計数する工程と、
前記識別部により貨幣の識別計数が行われた後に、前記収納カセットから繰り出された貨幣の所有権を補充回収員側から店舗側に変更する工程と、
を備え、
貨幣の回収処理を行う際に、回収されるべき貨幣が収納された前記収納カセットの所有権を店舗側から補充回収員側に変更することを特徴とする貨幣処理方法。
【発明の詳細な説明】
【技術分野】
【０００１】
本発明は、紙幣や硬貨等の貨幣の処理を行う貨幣処理装置および貨幣処理方法に関し、とりわけ貨幣の補充処理時における店舗側の操作者の負担を軽減することができる貨幣処理装置および貨幣処理方法に関する。
【背景技術】
【０００２】
従来から、コンビニエンスストアやスーパーマーケット等の店舗に設置される売上金入金機として様々な種類のものが知られている。例えば、特許文献１には、貨幣の回収処理を行う際に収納カセットの所有権が店舗側から警備会社側に移行するような貨幣入出金装置が開示されている。このような貨幣入出金装置によれば、収納カセットの所有権を店舗側から警備会社側に移行することにより警備会社に売上金回収の委託を行うことができ、店舗側の店舗責任者の負担を軽減することができる。
【先行技術文献】
【特許文献】
【０００３】
【特許文献１】特開２００９−２８２５６０号公報
【発明の概要】
【発明が解決しようとする課題】
【０００４】
従来の売上金入金機においては、当該売上金入金機に釣銭用の貨幣を補充する際に、警備会社側の補充回収員および店舗側の店舗責任者の双方の立ち会いのもとに貨幣の補充が行われている。より詳細には、売上金入金機への釣銭用の貨幣の補充作業は店舗責任者が行うようになっている。このように、従来の売上金入金機では、当該売上金入金機に釣銭用の貨幣を補充する際の店舗責任者の作業負担が大きいという問題がある。
【０００５】
本発明は、このような点を考慮してなされたものであり、貨幣の補充処理を行う際に、補充用の貨幣が収納された収納カセットが筐体内に装填されると、当該収納カセットから貨幣を搬送部に繰り出して識別部により識別計数を行った後に、この収納カセットから繰り出された貨幣の所有権を補充回収員側から店舗側に変更することにより、貨幣の補充処理時における店舗側の操作者の負担を軽減することができる貨幣処理装置および貨幣処理方法を提供することを目的とする。
【課題を解決するための手段】
【０００６】
本発明は、筐体と、店舗の売上金である貨幣を前記筐体の外部から内部に投入するための投入部と、釣銭としての貨幣を前記筐体の内部から外部に投出するための投出部と、前記筐体の内部に設けられ、貨幣を搬送する搬送部と、前記筐体の内部に設けられ、前記搬送部から送られた貨幣を金種別に収納する複数の金種別収納庫と、前記筐体の内部に設けられ、前記搬送部から送られた貨幣を収納するとともに収納された貨幣を前記搬送部に繰り出し可能であり、前記筐体から取り出し自在となっている収納カセットと、前記搬送部に設けられ、当該搬送部により搬送される貨幣の識別計数を行う識別部と、前記搬送部および前記収納カセットの制御を行う制御部であって、貨幣の補充処理を行う際に、補充用の貨幣が収納された前記収納カセットが前記筐体内に装填されると、当該収納カセットから貨幣を前記搬送部に繰り出して前記識別部により識別計数を行った後に、この収納カセットから繰り出された貨幣の所有権を補充回収員側から店舗側に変更するよう制御を行う制御部と、を備えたことを特徴とする貨幣処理装置である。
【０００７】
このような貨幣処理装置によれば、貨幣の補充処理を行う際に、補充用の貨幣が収納された収納カセットが筐体内に装填されると、この収納カセットから繰り出され識別計数された貨幣の所有権が補充回収員側から店舗側に変更されるので、補充用の貨幣が収納された収納カセットを筐体内に装填する動作、および収納カセットから搬送部に繰り出された貨幣を識別部により識別計数させる動作は、警備会社側の補充回収員のみが行うことができるようになり、このような動作が行われる間、店舗側の店舗責任者等は立ち会う必要がなくなる。このように、釣銭用の貨幣の補充作業の大部分は警備会社側の補充回収員により行われるようになるので、貨幣の補充処理時における店舗側の店舗責任者等の負担を軽減することができる。
【０００８】
本発明の貨幣処理装置においては、前記筐体の内部に設けられ、前記搬送部に接続され、当該搬送部から送られた貨幣を一時的に保留する一時保留部を更に備え、前記制御部は、貨幣の補充処理を行う際に、補充用の貨幣が収納された前記収納カセットが前記筐体内に装填されると、当該収納カセットから貨幣を前記搬送部に繰り出して前記識別部により識別計数を行った後にこの貨幣を前記一時保留部に一時的に保留し、前記収納カセットから前記一時保留部に貨幣が全て搬送されると、当該一時保留部に収納された貨幣の所有権を補充回収員側から店舗側に変更するよう制御を行うようになっていてもよい。
【０００９】
この際に、前記制御部は、前記収納カセットから前記一時保留部に貨幣が全て搬送された後、前記識別部による貨幣の計数結果の承認がなされると、前記一時保留部に収納された貨幣の所有権を補充回収員側から店舗側に変更するよう制御を行うようになっていてもよい。この場合には、一時保留部に収納された貨幣の所有権を補充回収員側から店舗側に変更する前に、補充用の貨幣が収納カセットから一時保留部に全て問題なく搬送されたか否かを確認することができるようになる。なお、貨幣の計数結果の承認は、補充回収員が行ってもよく、あるいは店舗側の店舗責任者等が行ってもよいが、補充回収員が行うようにすると、店舗側の店舗責任者等の負担をより一層軽減することができる。
【００１０】
本発明の貨幣処理装置においては、前記制御部は、前記収納カセットから繰り出された貨幣の所有権が補充回収員側から店舗側に変更されると、当該収納カセットの所有権を補充回収員側から店舗側に変更するよう制御を行うようになっていてもよい。この場合には、収納カセットから繰り出された貨幣の所有権が店舗側に変更された後、この収納カセットを店舗側所有の収納カセットとして使用することができるようになる。
【００１１】
本発明の貨幣処理装置においては、前記制御部は、貨幣の回収処理を行う際に、回収されるべき貨幣が収納された前記収納カセットの所有権を店舗側から補充回収員側に変更するよう制御を行うようになっていてもよい。この場合には、補充回収員が収納カセットを筐体から取り出すことにより貨幣の回収処理を行うことができるようになるので、貨幣の回収処理を行う際における店舗責任者等の負担を軽減することができる。
【００１２】
本発明は、補充用の貨幣が収納された収納カセットを貨幣処理装置の筐体内に装填する工程と、前記筐体内に装填された前記収納カセットから貨幣を搬送部に繰り出して識別部により識別計数する工程と、前記識別部により貨幣の識別計数が行われた後に、前記収納カセットから繰り出された貨幣の所有権を補充回収員側から店舗側に変更する工程と、を備えたことを特徴とする貨幣処理方法である。
【００１３】
このような貨幣処理方法によれば、貨幣の補充処理を行う際に、補充用の貨幣が収納された収納カセットが筐体内に装填されると、この収納カセットから繰り出され識別計数された貨幣の所有権が補充回収員側から店舗側に変更されるので、補充用の貨幣が収納された収納カセットを筐体内に装填する動作、および収納カセットから搬送部に繰り出された貨幣を識別部により識別計数させる動作は、警備会社側の補充回収員のみが行うことができるようになり、このような動作が行われる間、店舗側の店舗責任者等は立ち会う必要がなくなる。このように、釣銭用の貨幣の補充作業の大部分は警備会社側の補充回収員により行われるようになるので、貨幣の補充処理時における店舗側の店舗責任者等の負担を軽減することができる。
【００１４】
本発明の貨幣処理方法においては、貨幣の回収処理を行う際に、回収されるべき貨幣が収納された前記収納カセットの所有権を店舗側から補充回収員側に変更するようになっていてもよい。この場合には、補充回収員が収納カセットを筐体から取り出すことにより貨幣の回収処理を行うことができるようになるので、貨幣の回収処理を行う際における店舗責任者等の負担を軽減することができる。
【発明の効果】
【００１５】
本発明の貨幣処理装置および貨幣処理方法によれば、貨幣の補充処理時における店舗側の操作者の負担を軽減することができる。
【図面の簡単な説明】
【００１６】
【図１】本発明の一の実施の形態における紙幣処理装置の外観を示す斜視図である。
【図２】図１に示す紙幣処理装置の内部の構成を示す構成図である。
【図３】図１に示す紙幣処理装置の制御ブロック図である。
【図４】図１に示す紙幣処理装置における紙幣の回収処理の動作を示すフローチャートである。
【図５】図１に示す紙幣処理装置における紙幣の補充処理の動作を示すフローチャートである。
【発明を実施するための形態】
【００１７】
以下、図面を参照して本発明の一の実施の形態について説明する。図１乃至図５は、本実施の形態に係る紙幣処理装置を示す図である。このうち、図１は、本実施の形態における紙幣処理装置の外観を示す斜視図であり、図２は、図１に示す紙幣処理装置の内部の構成を示す構成図であり、図３は、図１に示す紙幣処理装置の制御ブロック図である。また、図４および図５は、それぞれ、図１に示す紙幣処理装置における紙幣の回収処理および補充処理の動作を示すフローチャートである。
【００１８】
まず、図１および図２を用いて、本実施の形態の紙幣処理装置１０の全体的な構成について概略的に説明する。図１に示すように、紙幣処理装置１０は略直方体形状の筐体１２を備えており、この筐体１２の前面には、当該筐体１２の外部から内部にバラ紙幣を投入するとともに筐体１２の内部から外部にバラ紙幣を投出するための入出金口２０が筐体１２の外部に露出するよう設けられている。入出金口２０には開口部が設けられており、この開口部にはシャッター機構２２が設けられている。そして、シャッター機構２２により入出金口２０の開口部の開閉が行われるようになっている。また、図２に示すように、筐体１２の内部には、１つの一時保留部４２、３つの金種別収納庫４０、および１つの収納カセット４４が略水平方向に沿って並列に設けられている。また、図２に示すように、筐体１２の内部には、紙幣を１枚ずつ搬送する搬送部３０が設けられており、この搬送部３０は、入出金口２０、各金種別収納庫４０、一時保留部４２および収納カセット４４の間で紙幣の搬送を行うようになっている。
【００１９】
以下、このような紙幣処理装置１０の各構成要素について詳述する。
【００２０】
入出金口２０は、図１および図２に示すように、筐体１２の前面に設けられており、操作者がこの入出金口２０に複数の紙幣を集積状態で投入したりこの入出金口２０から複数の紙幣を集積状態で取り出したりすることができるよう構成されている。より具体的には、図２に示すように入出金口２０は鉛直方向に対して斜めに傾斜しており、この入出金口２０には紙幣が斜めに傾斜して投入されるようになっている。入出金口２０には紙幣繰出機構２１が設けられており、この紙幣繰出機構２１により入出金口２０に集積された紙幣が１枚ずつ搬送部３０に繰り出されるようになっている。また、紙幣の出金処理を行う際には、搬送部３０から紙幣が１枚ずつ入出金口２０に送られるようになっている。
【００２１】
このような入出金口２０は、店舗の売上金である紙幣を筐体１２の外部から内部に投入するための投入部と、釣銭としての紙幣を筐体１２の内部から外部に投出するための投出部とを兼ね備えたものとして機能するようになっている。なお、図１および図２に示す例では投入部および投出部を兼ね備えた入出金口２０について説明しているが、投入部および投出部が別々に設けられていてもよい。この場合には、筐体１２の前面または上面に、入金口および出金口がそれぞれ設けられるようになる。
【００２２】
図１等に示すように、入出金口２０の開口部にはシャッター機構２２が設けられており、このシャッター機構２２により入出金口２０の開口部が開閉されるようになっている。より具体的には、操作者が入出金口２０に紙幣を投入したり入出金口２０から紙幣を取り出したりする際には、シャッター機構２２が開いて入出金口２０が筐体１２の外部に露出されるようになる。一方、入出金口２０に集積された紙幣が１枚ずつ紙幣繰出機構２１により搬送部３０に繰り出されたり搬送部３０から入出金口２０に紙幣が１枚ずつ送られたりする際には、シャッター機構２２が入出金口２０を閉じるようになる。
【００２３】
図２に示すように、搬送部３０には識別部３１が設置されている。識別部３１は、当該搬送部３０により搬送される紙幣の金種や正損、真偽等を識別するようになっている。また、筐体１２の内部には入金リジェクト部２４が設けられており、この入金リジェクト部２４は搬送部３０に接続されている。そして、紙幣の入金処理を行う際に、入出金口２０から紙幣繰出機構２１により搬送部３０に繰り出され識別部３１により識別された紙幣のうち、正常な紙幣ではないリジェクト紙幣であると識別された紙幣や、搬送異常（斜行、重送、連鎖）等により識別部３１で識別することができなかった紙幣は搬送部３０から入金リジェクト部２４に送られるようになっている。また、筐体１２の内部には出金リジェクト部２６が設けられており、この出金リジェクト部２６は搬送部３０に接続されている。そして、紙幣の出金処理を行う際に、各金種別収納庫４０等から搬送部３０に繰り出され識別部３１により識別された紙幣のうち、正常な紙幣ではないリジェクト紙幣であると識別された紙幣や、搬送異常等により識別部３１で識別することができなかった紙幣は搬送部３０から出金リジェクト部２６に送られるようになっている。
【００２４】
図２に示すように、収納カセット４４、各金種別収納庫４０および一時保留部４２は、この順番で、筐体１２の奥行き方向（図３の右方向）に沿って手前側から順に配置されている。各金種別収納庫４０、一時保留部４２および収納カセット４４にはそれぞれ搬送部３０から１枚ずつ紙幣が送られるようになっている。ここで、各金種別収納庫４０、一時保留部４２および収納カセット４４はそれぞれ扁平状の略直方体形状のものからなり、搬送部３０から送られた紙幣が積層状態に収納されるようになっている。また、各金種別収納庫４０、一時保留部４２および収納カセット４４にはそれぞれ紙幣繰出機構４１、４３、４５が設けられており、これらの各金種別収納庫４０、一時保留部４２および収納カセット４４に収納された紙幣は紙幣繰出機構４１、４３、４５により１枚ずつ搬送部３０に繰り出すことができるようになっている。
【００２５】
各金種別収納庫４０は、搬送部３０から送られた紙幣を金種別に収納するとともに、収納された紙幣を各紙幣繰出機構４１により搬送部３０に繰り出し可能となっている。より詳細には、筐体１２内において最も手前側に配置された金種別収納庫４０ａは、例えば一万円札を収納するようになっており、筐体１２内において次に手前側に配置された金種別収納庫４０ｂは、例えば五千円札を収納するようになっており、筐体１２内において最も奥側に配置された金種別収納庫４０ｃは、例えば千円札を収納するようになっている。なお、例えば一万円札を収納する金種別収納庫４０ａとしては、紙幣繰出機構４１が設けられておらず、搬送部３０から送られた紙幣を収納するのみとなっているものが用いられてもよい。また、各金種別収納庫４０は、筐体１２の内部に固定されており、この筐体１２から取り外すことができないようになっている。なお、各金種別収納庫４０のうち一または複数の金種別収納庫４０が筐体１２から取り出すことができるようになっていてもよい。この場合には、金種別収納庫４０に収納された紙幣を当該金種別収納庫４０ごと回収することができるようになる。
【００２６】
収納カセット４４は筐体１２から取り外し自在となっている。また、収納カセット４４は、搬送部３０から送られた紙幣を収納するとともに、収納された紙幣を紙幣繰出機構４５により搬送部３０に繰り出し可能となっている。より具体的には、収納カセット４４には、紙幣の入金処理を行う際に各金種別収納庫４０がフル状態となってしまうことにより収納することができなくなったオーバーフロー紙幣や二千円札、損券等が収納されるようになっている。また、紙幣処理装置１０からの紙幣の回収処理を行う際に筐体１２から収納カセット４４を取り外すことにより当該収納カセット４４に収納された紙幣を回収したり、紙幣処理装置１０に対して紙幣の補充処理を行う際に補充用の紙幣が収納された収納カセット４４を筐体１２の外部から当該筐体１２内に装填したりするようになっている。
【００２７】
一時保留部４２は、搬送部３０から送られた紙幣を一時的に保留するとともに、保留された紙幣を紙幣繰出機構４３により搬送部３０に繰り出し可能となっている。この一時保留部４２は、紙幣の入金処理を行う際に入出金口２０により筐体１２の外部から内部に投入された紙幣を一時的に保留するようになっている。また、紙幣の補充処理を行う際に収納カセット４４が筐体１２内に装填されると、搬送部３０により収納カセット４４から一時保留部４２に紙幣が１枚ずつ送られ、この一時保留部４２で補充用の紙幣が一時的に保留されるようになっている。
【００２８】
また、搬送部３０における紙幣の搬送路３０ａの各分岐箇所には、分岐爪からなる分岐部材３６がそれぞれ設けられている。各分岐部材３６により、搬送部３０により搬送される紙幣の搬送先が決められるようになっている。
【００２９】
また、図３に示すように、紙幣処理装置１０には、当該紙幣処理装置１０の各構成要素を制御するための制御部７０が設けられている。より具体的には、制御部７０には、紙幣繰出機構２１、シャッター機構２２、搬送部３０、識別部３１、分岐部材３６、紙幣繰出機構４１、４３、４５等がそれぞれ接続されている。そして、識別部３１による紙幣の識別結果が制御部７０に送られるとともに、制御部７０は、紙幣繰出機構２１、シャッター機構２２、搬送部３０、分岐部材３６、紙幣繰出機構４１、４３、４５等に指令信号を送りこれらの構成要素の制御を行うようになっている。
【００３０】
また、制御部７０には、表示部７２、操作部７４および記憶部７６がそれぞれ接続されている。図１に示すように、表示部７２および操作部７４はそれぞれ筐体１２の上面に設けられており、表示部７２には紙幣処理装置１０による紙幣の処理状況、より具体的には例えば各金種別収納庫４０等に収納された紙幣の金種毎の枚数や合計金額等が表示されるようになっている。また、操作者は操作部７４により制御部７０に対して様々な指令を与えることができるようになっている。また、記憶部７６には、紙幣処理装置１０による紙幣の処理状況や、紙幣処理装置１０の各金種別収納庫４０や収納カセット４４に収納された紙幣の金種毎の枚数や金額等の在高、ならびに収納カセット４４の所有権が店舗側にあるか否か、等が記憶されるようになっている。
【００３１】
また、制御部７０にはインターフェース７８が接続されており、このインターフェース７８を介して制御部７０は警備会社に設置されたホストコンピュータ等の上位装置と信号の送受信を行うことができるようになっている。また、制御部７０にはプリンタ等の印字部８０が接続されており、この印字部８０により、紙幣処理装置１０の各金種別収納庫４０等に収納された紙幣の金種毎の枚数や合計金額等が印字されるようになっている。
【００３２】
次に、上述のような構成からなる紙幣処理装置１０の動作について説明する。なお、以下に示す紙幣処理装置１０の動作は、制御部７０が各構成要素を制御することにより行われる。
【００３３】
最初に、紙幣処理装置１０への紙幣の入金処理について説明する。紙幣の入金処理を行う際には、まず、紙幣処理装置１０における入出金口２０のシャッター機構２２を開き、操作者が紙幣を入出金口２０に投入する。そして、シャッター機構２２を閉じると、入出金口２０に投入された紙幣は紙幣繰出機構２１により１枚ずつ搬送部３０に繰り出される。紙幣繰出機構２１により搬送部３０に繰り出された紙幣は当該搬送部３０により搬送され、識別部３１によりその金種や正損、真偽等の識別が行われる。識別部３１により正常な紙幣ではないリジェクト紙幣であると識別された紙幣や、識別部３１により識別することができなかった紙幣は、搬送部３０から入金リジェクト部２４に送られ、この入金リジェクト部２４に集積される。一方、識別部３１により正常な紙幣であると識別された紙幣は、一時保留部４２に搬送され、この一時保留部４２に積層状態で一時的に保留される。
【００３４】
その後、入出金口２０から一時保留部４２または入金リジェクト部２４に紙幣が全て送られると、表示部７２にその旨が表示される。そして、操作者が操作部７４により制御部７０に対して入金確定の指令を送ると、一時保留部４２に一時的に保留された紙幣は１枚ずつ搬送部３０に繰り出され、識別部３１により識別が行われた後、金種別に各金種別収納庫４０や収納カセット４４に送られる。より詳細には、一万円札、五千円札および千円札はそれぞれ各金種別収納庫４０ａ、４０ｂ、４０ｃに送られ、これらの各金種別収納庫４０ａ、４０ｂ、４０ｃに積層状態で収納される。一方、二千円札は収納カセット４４に送られ、この収納カセット４４に積層状態で収納される。また、識別部３１により識別された紙幣が損券である場合には、このような損券は収納カセット４４に送られる。また、識別部３１により識別された紙幣が一万円札、五千円札および千円札である場合において、対応する各金種別収納庫４０ａ、４０ｂ、４０ｃがフル状態である場合には、この紙幣はオーバーフロー紙幣として収納カセット４４に送られる。このように、一時保留部４２から各金種別収納庫４０や収納カセット４４に紙幣が全て送られると、紙幣の入金処理が終了する。このような紙幣の入金処理が行われている間、表示部７２には各金種の紙幣の収納枚数や合計収納金額等が表示され、記憶部７６にはこれらの情報が記憶される。また、インターフェース７８を介して制御部７０から上位装置に対して各金種の紙幣の収納枚数や合計収納金額等に係る信号が送信される。
【００３５】
次に、紙幣処理装置１０からの紙幣の出金処理について説明する。操作者が操作部７４により制御部７０に対して紙幣の出金処理の指令を与えると、各金種別収納庫４０に収納された紙幣が紙幣繰出機構４１により搬送部３０に１枚ずつ繰り出され、搬送部３０に繰り出された紙幣は識別部３１により識別が行われる。そして、正常な紙幣であると識別された紙幣は搬送部３０から入出金口２０に１枚ずつ送られ、この入出金口２０で紙幣が積層状態に集積される。一方、識別部３１により正常な紙幣ではないリジェクト紙幣であると識別された紙幣や、識別部３１により識別することができなかった紙幣は、搬送部３０から出金リジェクト部２６に送られ、この出金リジェクト部２６で集積される。
【００３６】
その後、入出金口２０のシャッター機構２２が開くことにより、操作者は入出金口２０に集積された紙幣を取り出すことができるようになる。
【００３７】
次に、紙幣処理装置１０からの紙幣の回収処理や紙幣処理装置１０への紙幣の補充処理について説明する。本実施の形態では、このような紙幣の回収処理や補充処理は、主に警備会社の補充回収員により行われるようになっている。より詳細には、紙幣の回収処理を行う際に、補充回収員が紙幣処理装置１０の筐体１２から収納カセット４４を取り出した後、補充回収員はこの収納カセット４４ごと紙幣を回収し、紙幣が収納された収納カセット４４を警備会社に運搬する。また、紙幣の補充処理を行う際に、補充回収員は補充用の紙幣が収納された収納カセット４４を警備会社から店舗に運搬し、この収納カセット４４を紙幣処理装置１０の筐体１２に装填することにより紙幣が紙幣処理装置１０に補充される。また、このような紙幣の回収処理や補充処理が行われる際に、収納カセット４４の所有権が店舗側と補充回収員側との間で切り換えられるようになっている。以下、紙幣の回収処理および補充処理について詳述する。
【００３８】
まず、紙幣処理装置１０からの紙幣の回収処理について図４に示すフローチャートを用いて説明する。店舗側の店舗責任者や補充回収員が操作部７４により制御部７０に対して紙幣の回収処理の指令を与えると、各金種別収納庫４０に収納された紙幣が紙幣繰出機構４１により搬送部３０に１枚ずつ繰り出され、搬送部３０に繰り出された紙幣は識別部３１により識別計数された後、収納カセット４４に送られる（図４のＳＴＥＰ１）。このような処理は、各金種別収納庫４０から全て、または売上金に相当する所定金額の紙幣が収納カセット４４に送られるか、収納カセット４４がフル状態になるまで行われる（図４のＳＴＥＰ２、ＳＴＥＰ３）。そして、各金種別収納庫４０から所定の紙幣が収納カセット４４に送られると（図４のＳＴＥＰ２の「ＹＥＳ」）、または収納カセット４４がフル状態になると（図４のＳＴＥＰ３の「ＹＥＳ」）、制御部７０は、収納カセット４４の所有権を店舗側から補充回収員側に変更する（図４のＳＴＥＰ４）。その後、補充回収員は筐体１２から収納カセット４４を取り出し、収納カセット４４ごと紙幣を回収する（図４のＳＴＥＰ５）。
【００３９】
筐体１２から収納カセット４４が取り出された後、回収されるべき紙幣が各金種別収納庫４０に残っている場合には（図４のＳＴＥＰ６の「ＹＥＳ」）、補充回収員は筐体１２に空の収納カセット４４を装填する（図４のＳＴＥＰ７）。このことにより、各金種別収納庫４０に収納された紙幣が再び収納カセット４４に送られるようになる（図４のＳＴＥＰ１）。一方、各金種別収納庫４０から回収すべき紙幣が全て回収されると（図４のＳＴＥＰ６の「ＮＯ」）、補充回収員は筐体１２から収納カセット４４を取り出し、空の収納カセット４４を装填する（図４のＳＴＥＰ８）。この際に、制御部７０は、筐体１２に装填された空の収納カセット４４の所有権を補充回収員側から店舗側に変更する（図４のＳＴＥＰ９）。その後、制御部７０からインターフェース７８を介して、警備会社に設置されたホストコンピュータ等の上位装置に、回収された紙幣の金種毎の枚数や合計金額等の回収データが送信される。このようにして、紙幣の回収処理が完了する。
【００４０】
なお、上述のような紙幣の回収処理において、紙幣を所定金額の紙幣に設定する方法としては、例えば、操作部７４により制御部７０に対して紙幣の回収処理の指令を与える際に、回収されるべき紙幣の金種毎の枚数や金額、あるいは紙幣処理装置１０に残すべき紙幣の金種毎の枚数や金額を、操作部７４により設定することもできる。この場合には、各金種別収納庫４０に収納された紙幣の一部が収納カセット４４に送られ、この収納カセット４４ごと回収されるようになる。
【００４１】
次に、紙幣処理装置１０への紙幣の補充処理について図５に示すフローチャートを用いて説明する。まず、補充用の紙幣が収納された収納カセット４４を、補充回収員が筐体１２に装填する（図５のＳＴＥＰ１）。収納カセット４４が筐体１２に装填されると、この収納カセット４４から紙幣が紙幣繰出機構４５により搬送部３０に１枚ずつ繰り出される。搬送部３０に繰り出された紙幣は識別部３１により識別計数が行われた後、一時保留部４２に送られる（図５のＳＴＥＰ２）。そして、収納カセット４４から一時保留部４２に紙幣が全て送られると（図５のＳＴＥＰ３の「ＹＥＳ」）、識別部３１による紙幣の計数結果が表示部７２に表示される。具体的には、一時保留部４２に一時的に保留された紙幣の金種枚の枚数や合計金額等が表示部７２に表示される。その後、補充回収員が操作部７４により制御部７０に対して、紙幣の計数結果について承認指令を与えると（図５のＳＴＥＰ４の「ＹＥＳ」）、一時保留部４２に保留された紙幣の所有権が補充回収員側から店舗側に変更される（図５のＳＴＥＰ５）。なお、制御部７０に対して紙幣の計数結果について承認指令を与えるのは、補充回収員ではなく店舗側の店舗責任者等であってもよい。また、収納カセット４４から一時保留部４２に紙幣が全て送られた後、操作部７４により制御部７０に対して承認指令ではなく返却指令が与えられると、一時保留部４２に保留された紙幣は搬送部３０により入出金口２０に戻されることとなる。
【００４２】
また、一時保留部４２に保留された紙幣の所有権が補充回収員側から店舗側に変更されると、筐体１２に装填されている収納カセット４４の所有権が補充回収員側から店舗側に変更される（図５のＳＴＥＰ６）。その後、印字部８０により、識別部３１による紙幣の計数結果（具体的には、一時保留部４２に一時的に保留された紙幣の金種枚の枚数や合計金額等）が印字される（図５のＳＴＥＰ７）。印字されたレシート等は、補充回収員から店舗側の店舗責任者等に手渡される。
【００４３】
その後、店舗側の店舗責任者等によって操作部７４により制御部７０に対して収納指令が与えられると（図５のＳＴＥＰ８の「ＹＥＳ」）、一時保留部４２から搬送部３０に紙幣が１枚ずつ繰り出される。搬送部３０に繰り出された紙幣は識別部３１により識別計数が行われ、その後各金種別収納庫４０に金種別に送られる（図５のＳＴＥＰ９）。より具体的には、一時保留部４２から搬送部３０に繰り出された一万円札、五千円札、千円札は各金種別収納庫４０ａ、４０ｂ、４０ｃにそれぞれ送られる。そして、一時保留部４２から各金種別収納庫４０に紙幣が全て送られると（図５のＳＴＥＰ１０の「ＹＥＳ」）、印字部８０により、各金種別収納庫４０に収納された紙幣の金種毎の枚数や金額が印字される（図５のＳＴＥＰ１１）。その後、店舗側の店舗責任者等は、補充回収員から手渡されたレシートにおける紙幣の計数結果と、今回印字部８０により印字された、各金種別収納庫４０に収納された紙幣の金種毎の枚数や金額とを比較し、両者が一致している場合には、操作部７４により制御部７０に対して承認指令を与える（図５のＳＴＥＰ１２の「ＹＥＳ」）。制御部７０に対して承認指令が与えられると、制御部７０からインターフェース７８を介して警備会社に設置されたホストコンピュータ等の上位装置に、補充された紙幣の金種毎の枚数や金額等の補充データが送信される。このようにして、紙幣の補充処理が完了する。
【００４４】
以上のように本実施の形態の紙幣処理装置１０によれば、紙幣の補充処理を行う際に、補充用の紙幣が収納された収納カセット４４が筐体１２内に装填されると、当該収納カセット４４から紙幣を搬送部３０に繰り出して識別部３１により識別計数を行った後に、この収納カセット４４から繰り出された紙幣の所有権を補充回収員側から店舗側に変更するようになっている。より詳細には、収納カセット４４から紙幣を搬送部３０に繰り出して識別部３１により識別計数を行った後にこの紙幣を一時保留部４２に一時的に保留し、収納カセット４４から一時保留部４２に紙幣が全て搬送されると、一時保留部４２に収納された紙幣の所有権を補充回収員側から店舗側に変更するようになっている。このように、紙幣の補充処理を行う際に、補充用の紙幣が収納された収納カセット４４が筐体内に装填されると、この収納カセット４４から繰り出され識別部３１により識別計数された紙幣の所有権が補充回収員側から店舗側に変更されるので、補充用の紙幣が収納された収納カセット４４を筐体１２内に装填する動作、および収納カセット４４から搬送部３０に繰り出された紙幣を識別部３１により識別計数させる動作は、警備会社側の補充回収員のみが行うことができるようになり、このような動作が行われる間、店舗側の店舗責任者等は立ち会う必要がなくなる。このように、釣銭用の紙幣の補充作業の大部分は警備会社側の補充回収員により行われるようになるので、貨幣の補充処理時における店舗側の店舗責任者等の負担を軽減することができる。
【００４５】
また、本実施の形態の紙幣処理装置１０においては、制御部７０は、収納カセット４４から一時保留部４２に紙幣が全て搬送された後、識別部３１による紙幣の計数結果の承認がなされると、一時保留部４２に収納された紙幣の所有権を補充回収員側から店舗側に変更するようになっている。このため、一時保留部４２に収納された紙幣の所有権を補充回収員側から店舗側に変更する前に、補充用の紙幣が収納カセット４４から一時保留部４２に全て問題なく搬送されたか否かを確認することができるようになる。なお、紙幣の計数結果の承認は、補充回収員が行ってもよく、あるいは店舗側の店舗責任者等が行ってもよいが、補充回収員が行うようにすると、店舗側の店舗責任者等の負担をより一層軽減することができる。
【００４６】
また、本実施の形態の紙幣処理装置１０においては、制御部７０は、収納カセット４４から繰り出された紙幣の所有権が補充回収員側から店舗側に変更されると、収納カセット４４の所有権も補充回収員側から店舗側に変更するよう制御を行うようになっている。このことにより、収納カセット４４から繰り出された紙幣の所有権が店舗側に変更された後、この収納カセット４４を店舗側所有の収納カセットとして使用することができるようになる。
【００４７】
また、本実施の形態の紙幣処理装置１０においては、制御部７０は、紙幣の回収処理を行う際に、回収されるべき紙幣が収納された収納カセット４４の所有権を店舗側から補充回収員側に変更するよう制御を行うようになっている。このことにより、補充回収員が収納カセット４４を筐体１２から取り出すことにより貨幣の回収処理を行うことができるようになるので、貨幣の回収処理を行う際における店舗責任者等の負担を軽減することができる。
【００４８】
なお、本実施の形態による紙幣処理装置１０は、上記の態様に限定されるものではなく、様々の変更を加えることができる。
【００４９】
例えば、紙幣の回収処理と補充処理を一連の処理として行うこともできる。具体的には、回収処理が終わった後（図４のＳＴＥＰ８）に、空の収納カセット４４の代わりに補充用の紙幣が収納された収納カセット４４を装填し、図５に示した補充処理（図５のＳＴＥＰ１）に移るようにしてもよい。また、紙幣の補充処理を行う際に、収納カセット４４から一時保留部４２に紙幣が全て送られた後、操作部７４から制御部７０に対して、紙幣の計数結果について承認指令が与えられなくとも、収納カセット４４から一時保留部４２に紙幣が全て送られるだけで、一時保留部４２に保留された紙幣の所有権が補充回収員側から店舗側に変更されるようになっていてもよい。
【００５０】
また、紙幣処理装置１０に一時保留部４２が設けられておらず、紙幣の補充処理を行う際に、収納カセット４４から搬送部３０に繰り出され識別部３１により識別された紙幣が直接的に各金種別収納庫４０に金種別に送られるようになっていてもよい。また、紙幣処理装置１０に一時保留部４２が設けられている場合でも、紙幣の補充処理を行う際に、収納カセット４４から搬送部３０に繰り出され識別部３１により識別された紙幣が直接的に各金種別収納庫４０に金種別に送られるようになっていてもよい。これらの場合には、収納カセット４４から搬送部３０に紙幣が繰り出され、識別部３１により紙幣の識別計数が行われた後に、この収納カセット４４から繰り出された紙幣の所有権が補充回収員側から店舗側に変更されるようになる。
【００５１】
また、紙幣の補充処理を行う際に、一時保留部４２に収納された紙幣の所有権が補充回収員側から店舗側に変更された後、店舗側の店舗責任者等が操作部７４により制御部７０に対して収納指令を与えなくとも、一時保留部４２から各金種別収納庫４０に紙幣が金種別に自動的に送られるようになっていてもよい。
【００５２】
また、紙幣の補充処理を行う際に、一時保留部４２から各金種別収納庫４０に紙幣が全て送られた後、店舗側の店舗責任者等が操作部７４により制御部７０に対して承認指令を与えなくとも、一時保留部４２から各金種別収納庫４０に紙幣が全て送られるだけで制御部７０から警備会社に設置されたホストコンピュータ等の上位装置に補充データが送信され、紙幣の補充処理が完了するようになっていてもよい。
【００５３】
また、本発明による貨幣処理装置は、図１乃至図５に示すような紙幣処理装置１０に限定されるものではない。本発明による貨幣処理装置として、硬貨の処理を行う硬貨処理装置が用いられてもよい。本発明による貨幣処理装置として硬貨処理装置が用いられる場合にも、図１乃至図５に示すような紙幣処理装置１０と同様に、硬貨の補充処理を行う際に、補充用の硬貨が収納された収納カセットが硬貨処理装置の筐体内に装填されると、この収納カセットから硬貨を筐体内の搬送部に繰り出して識別部により識別計数を行った後に、この収納カセットから繰り出された硬貨の所有権が補充回収員側から店舗側に変更されるようになる。
【符号の説明】
【００５４】
１０  紙幣処理装置
１２  筐体
２０  入出金口
２１  紙幣繰出機構
２２  シャッター機構
２４  入金リジェクト部
２６  出金リジェクト部
３０  搬送部
３０ａ  搬送路
３１  識別部
３６  分岐部材
４０  金種別収納庫
４１  紙幣繰出機構
４２  一時保留部
４３  紙幣繰出機構
４４  収納カセット
４５  紙幣繰出機構
７０  制御部
７２  表示部
７４  操作部
７６  記憶部
７８  インターフェース
８０  印字部
【図１】
0005591599.tif 000002
【図２】
0005591599.tif 000003
【図３】
0005591599.tif 000004
【図４】
0005591599.tif 000005
【図５】
0005591599.tif 000006